(57)【特許請求の範囲】
【請求項１】
符号発生回路が発生するデータを記憶し、この記憶したデータを古いものから順に読み出す符号側蓄積回路を有する符号化装置と、
この符号化装置が伝送ビットレートに従って出力するデータを記憶し、この記憶したデータを古いものから順に符号化時のビットレートで読み出す復号側蓄積回路を有する復号化装置と、
前記符号側蓄積回路と前記復号側蓄積回路との間のデータ伝送路に介在された時間調整用蓄積回路を有し、前記符号側蓄積回路への入力から前記復号側蓄積回路の出力までの遅延時間を伝送ビットレートに拘わらず一定とするよう前記時間調整用蓄積回路で調整する時間調整手段と、
を備えたことを特徴とする符号伝送装置。
【請求項２】
前記時間調整手段は、前記符号化装置側に配置したことを特徴とする請求項１に記載の符号伝送装置。
【請求項３】
前記時間調整用蓄積回路には、前記符号側蓄積回路、前記時間調整用蓄積回路及び前記復号側蓄積回路で発生する合計遅延時間をＴｄ、初期動作時の伝送ビットレートをＢＲ、前記符号側蓄積回路の容量をＢ１とすると、初期状態時に（Ｔｄ×ＢＲ）−Ｂ１のデータ量を予め蓄積し、伝送ビットレートが固定の場合には前記時間調整用蓄積回路への書き込みと読み出しを固定の伝送ビットレートに基づき行うことを特徴とする請求項１に記載の符号伝送装置。
【請求項４】
前記時間調整用蓄積回路には、前記第１蓄積回路、前記時間調整用蓄積回路及び前記復号側蓄積回路で発生する合計遅延時間をＴｄ、初期動作時の伝送ビットレートをＢＲ、前記符号側蓄積回路の容量をＢ１とすると、初期状態時に（Ｔｄ×ＢＲ）−Ｂ１のデータ量を予め蓄積し、動作中に伝送ビットレートが変化する場合には前記符号側蓄積回路からの読み出し及び前記時間調整用蓄積回路への書き込みは新しい伝送ビットレートに基づき行い、且つ、前記時間調整用蓄積回路からの読み出しは前記遅延時間Ｔｄの間変化前の伝送ビットレートに基づき行い、その後新しい伝送ビットレートに基づき行うことを特徴とする請求項１に記載の符号伝送装置。
【請求項５】
前記時間調整用蓄積回路には、前記符号側蓄積回路、前記時間調整用蓄積回路及び前記復号側蓄積回路で発生する合計遅延時間をＴｄ、初期動作時の伝送ビットレートをＢＲ、前記符号側蓄積回路の容量をＢ１とすると、初期状態時に（Ｔｄ×ＢＲ）−Ｂ１のデータ量を予め蓄積し、伝送ビットレートが固定の場合には前記時間調整用蓄積回路への書き込みと読み出しを固定の伝送ビットレートに基づき行い、動作中に伝送ビットレートが変化する場合には前記符号側蓄積回路からの読み出し及び前記時間調整用蓄積回路への書き込みは新しい伝送ビットレートに基づき行い、且つ、前記時間調整用蓄積回路からの読み出しは前記遅延時間Ｔｄの間変化前の伝送ビットレートに基づき行い、その後新しい伝送ビットレートに基づき行うことを特徴とする請求項１に記載の符号伝送装置。
【請求項６】
符号側蓄積回路がオーバーフロー及びアンダーフローしないようデータを発生する符号発生回路と、
この符号発生回路が発生するデータを記憶し、この記憶したデータを古いものから順に読み出し、復号化装置の復号側蓄積回路と同期して動作する前記符号側蓄積回路と、
前記符号側蓄積回路の出力が導かれる時間調整用蓄積回路を有し、時間調整用蓄積回路には、前記符号側蓄積回路、前記時間調整用蓄積回路及び前記復号側蓄積回路で発生する合計遅延時間をＴｄ、初期動作時の伝送ビットレートをＢＲ、前記符号側蓄積回路の容量をＢ１とすると、初期状態時に（Ｔｄ×ＢＲ）−Ｂ１のデータ量を予め蓄積し、伝送ビットレートが固定の場合には前記時間調整用蓄積回路への書き込みと読み出しを固定の伝送ビットレートに基づき行い、動作中に伝送ビットレートが変化する場合には前記符号側蓄積回路からの読み出し及び前記時間調整用蓄積回路への書き込みは新しい伝送ビットレートに基づき行い、且つ、前記時間調整用蓄積回路からの読み出しは前記遅延時間Ｔｄの間変化前の伝送ビットレートに基づき行い、その後新しい伝送ビットレートに基づき行う時間調整手段と、
を備えたことを特徴とする符号化装置。
【請求項７】
符号発生回路が発生するデータを記憶し、この記憶したデータを古いものから順に読み出す符号側蓄積回路を有する符号化装置と、
この符号化装置が伝送ビットレートに従って出力するデータを記憶し、この記憶したデータを古いものから順に符号化時のビットレートで読み出す復号側蓄積回路を有する復号化装置とを備え、
前記符号側蓄積回路と前記復号側蓄積回路との間のデータ伝送路に時間調整用蓄積回路を設け、この時間調整用蓄積回路には、前記符号側蓄積回路、前記時間調整用蓄積回路及び前記復号側蓄積回路の出力までの遅延時間をＴｄ、初期動作時の伝送ビットレートをＢＲ、前記符号側蓄積回路の容量をＢ１とすると、初期状態時に（Ｔｄ×ＢＲ）−Ｂ１のデータ量を予め蓄積し、伝送ビットレートが固定の場合には前記時間調整用蓄積回路への書き込みと読み出しを固定の伝送ビットレートに基づき行い、動作中に伝送ビットレートが変化する場合には前記符号側蓄積回路からの読み出し及び前記時間調整用蓄積回路への書き込みは新しい伝送ビットレートに基づき行い、且つ、前記時間調整用蓄積回路からの読み出しは前記遅延時間Ｔｄの間変化前の伝送ビットレートに基づき行い、その後新しい伝送ビットレートに基づき行うことを特徴とする符号伝送方法。
【請求項８】
符号化装置に符号発生回路が発生するデータを記憶し、この記憶したデータを古いものから順に読み出す符号側蓄積回路を設け、
復号化装置に、前記符号化装置が伝送ビットレートに従って出力するデータを記憶し、この記憶したデータを古いものから順に符号化時のビットレートで読み出す復号側蓄積回路を設け、
前記符号側蓄積回路の記憶容量を前記復号側蓄積回路のものより大きく構成し、前記符号側蓄積回路への入力から前記復号側蓄積回路の出力までの遅延時間を伝送ビットレートに拘わらず一定とするよう前記符号側蓄積回路を調整したことを特徴とする符号伝送装置。
【発明の詳細な説明】
【０００１】
【発明の属する技術分野】
本発明は、局所的な時間では一定量ではなく発生されるデータを符号化装置から復号化装置へ一定の伝送ビットレートで伝送するに際して、符号化装置内と復号化装置内でそれぞれ生じるデータ量の増減を各蓄積回路で吸収する符号伝送装置に関する。
【０００２】
【従来の技術】
図９には従来の符号伝送装置の回路ブロック図が示されている。図９において、符号伝送装置は符号化装置Ａ１と復号化装置Ｂ１とから成る。符号化装置Ａ１では符号発生回路３０が下記する差分データに基づきデータ発生量を制御し、符号発生回路３０は符号化されたデータと書き込み要求信号を蓄積回路３１に出力する。蓄積回路３１では書き込み要求信号に従ってデータを蓄積する。読み出し制御回路３２は伝送ビットレートに応じて読み出し要求信号を蓄積回路３１に出力する。蓄積回路３１は読み出し要求信号に従って蓄積されているデータの内、古いものから順に出力する。計数器３３には符号発生回路３０の書き込み要求信号と読み出し要求信号が共に導かれ、計数器３３はこれらの信号より書き込みと読み出しの数の差分を計算し、差分データとして符号発生回路３０に出力する。
【０００３】
復号化装置Ｂ１では入力としてデータと伝送ビットレート情報を符号化装置Ａ１より受け取る。伝送ビットレート情報は書き込み制御回路３４に供給され、書き込み制御回路３４では伝送ビットレートに従って書き込み要求信号を蓄積回路３５に出力する。蓄積回路３５では書き込み要求信号に従ってデータを蓄積する。復号回路３６は符号化時のビットレートに基づく読み出し要求信号を蓄積回路３５に出力し、蓄積回路３５は蓄積しているデータの内、古いものから順に復号回路３６に出力する。復号回路３６ではデータを復号する。
【０００４】
上記構成において、符号発生回路３０は差分データに基づき蓄積回路３１がオーバーフロー及びアンダーフローしないようデータ発生量を制御し、発生したデータは蓄積回路３１で一時蓄えられた後、所定の伝送ビットレートで復号化装置Ｂ１に伝送される。復号化装置Ｂ１に伝送されたデータは蓄積回路３５に一時蓄えられた後、復号回路３６に出力されて復号される。
【０００５】
図１０には符号化装置Ａ１と復号化装置Ｂ１の２つの蓄積回路３１，３５の入出力データに注目し、データの推移が示され、具体的には、図１０（ａ）〜（ｇ）の各図には時間的に等間隔でのデータ量が示されている。蓄積回路３１への入力は符号発生回路３０からのデータであり、単位時間当たりの発生データ量は一定ではなく、図面上ではＡ，Ｂ，Ｃで表している。又、蓄積回路３５の出力はそのときに復号化するデータの符号化時での発生データ量に等しい量となる。当然に入出力のビットレートが異なる場合はそれぞれの蓄積回路３１，３５に蓄えられるデータ占有量は変動するが、図１０に示す如く、蓄積回路３１のデータ占有量と３ステップ後の蓄積回路３５のデータ占有量との和は、常に２つの蓄積回路３１，３５の容量に等しくなる（例えば、図１０（ｂ）の蓄積回路３１と図１０（ｅ）の蓄積回路３５とのデータ占有量の和）。このことより、符号化装置Ａ１で蓄積回路３１の占有量がゼロから百パーセントの容量の範囲内ならば、復号化装置Ｂ１の蓄積回路３５の占有量の変動もその容量内に収まることがわかる。
【０００６】
ここで、例えば放送局から送出される番組は、伝えたい情報という点でも、また動画像圧縮という点で見た場合でも様々な内容があり、状況に応じて圧縮データのビットレートを番組によっても変更したいという要求がでている。例えばニュースは多少画像が荒れていてもいいが、映画はきれいな画像で送りたい等である。そこで、あらかじめ番組毎に伝送ビットレートを設定し、それに応じて伝送ビットレートを変更する。
【０００７】
【発明が解決しようとする課題】
しかしながら、上記従来例の構成では、ビットレートを動作中に変更した場合、符号化装置Ａ１の蓄積回路３１で入出力のビットレートを等しくして破綻をきたさないように仮に制御しても、復号化装置Ｂ１の蓄積回路３５では、その入力は変更後のビットレートに従ったデータ量が書き込まれるが、その出力は以前変更前のビットレートで読み出されるといった、入出力ビットレートの不一致が生じ、符号化装置Ａ１との同期がとれなくなり、いずれ破綻をきたすおそれが生じる。即ち、図１１に示す如く、符号化装置Ａ１の蓄積回路３１の入出力データ量を常に一定となるよう制御した場合にも図１１（ａ）〜（ｃ）の時点では復号化装置Ｂ１の蓄積回路３５は蓄積回路３１と同期しているが、それ以後は蓄積回路３５で占有量が増え続け、図１１（ｆ）の時点ではオーバーフローを起こす。
【０００８】
また、いくつかのデータを異なる伝送ビットレートで伝送している場合、それぞれのデータを符号化／復号化するのに用いている蓄積回路の容量とビットレートの比が異なる場合、符号化装置Ａ１にデータを入力してから復号化装置Ｂ１からそのデータが出力されるまでの遅延時間は異なる。従って、伝送ビットレートの異なるデータ内に同時に入力された画像や音声（たとえば時報）などは、出力される時間がずれてしまう。即ち、図１２と図１３において、符号化装置Ａ１の蓄積回路３１と復号化装置Ｂ１の蓄積回路３５とが共に同じ容量の場合には伝送ビットレートＡの場合（図１２）と、その約２倍の伝送ビットレートＢの場合（図１３）とでは伝送ビットレートＢの方が伝送ビットレートＡより入出力間の遅延時間が短くなり、双方の出力時間がずれる。
【０００９】
そこで、本発明は、上述の問題が符号化装置の蓄積回路へデータ入力されてから復号化装置の蓄積回路から出力されるまでの遅延時間（伝送ビットレートと蓄積回路の容量の比によって決められる）が一定でないことによって発生することに鑑みなされたもので、動作中に伝送ビットレートが変更された場合にも復号化装置の蓄積回路がオーバーフロー／アンダーフローすることがない符号伝送装置等を提供することを課題とする。又、伝送ビットレートの大きさに拘わらず符号化装置の蓄積回路への入力から復号化装置の蓄積回路から出力されるまでの時間を一定とする符号伝送装置等を提供することを課題とする。
【００１０】
【課題を解決するための手段】
上記課題を達成するための本発明の構成は、符号発生回路が発生するデータを記憶し、この記憶したデータを古いものから順に読み出す符号側蓄積回路を有する符号化装置と、この符号化装置が伝送ビットレートに従って出力するデータを記憶し、この記憶したデータを古いものから順に符号化時のビットレートで読み出す復号側蓄積回路を有する復号化装置と、前記符号側蓄積回路と前記復号側蓄積回路との間のデータ伝送路に介在された時間調整用蓄積回路を有し、前記符号側蓄積回路への入力から前記復号側蓄積回路の出力までの遅延時間を伝送ビットレートに拘わらず一定とするよう前記時間調整用蓄積回路で調整する時間調整手段とを備えたことを特徴とする符号伝送装置である。即ち、動作中に伝送ビットレートが変更されたときでも、又、異なる伝送ビットレートによってデータが伝送されたときでも、時間調整手段が符号化装置の符号側蓄積回路の入力から復号化装置の復号側蓄積回路に出力されるまでの遅延時間を一定にするよう調整する。
【００１１】
【発明の実施の形態】
以下、本発明の実施の形態を図面を用いて説明する。
【００１２】
図１から図７には第１の実施の形態が示されている。図１には符号伝送装置の回路ブロック図が示されている。図１において、符号伝送装置は、符号化装置Ａと復号化装置Ｂとから構成され、例えばテレビ放送システムに適用される場合には発信側（放送局）に符号化装置Ａが、受信側に復号化装置Ｂがそれぞれ配置される。
【００１３】
符号化装置Ａは符号発生回路１を有し、この符号発生回路１は入力信号を符号化されたデータに変換し、この符号化されたデータを書き込み要求信号と共に符号側蓄積回路２に出力する。符号側蓄積回路２は書き込み要求信号に従ってデータを蓄積し、読み出し制御回路５からの読み出し要求によって蓄積されたデータの内、古いものから順に時間補正用蓄積回路３に出力する。時間補正用蓄積回路３は読み出し制御回路５からの書き込み要求信号によってデータを蓄積し、読み出し制御回路５からの読み出し要求信号によって蓄積されたデータの内、古いものから順に出力する。この出力データが復号化装置Ｂへ伝送される。
【００１４】
計数器４には符号発生回路１の書き込み要求信号と読み出し制御回路５の読み出し要求信号とがそれぞれ供給され、計数器４は双方の信号を計測して書き込み／読み出しの数の差分を計算する。そして、この差分データを符号発生回路１に出力し、符号発生回路１は差分データに基づき発生データ量を制御して符号側蓄積回路２の蓄積データ量を適正なものとする。又、計数器４は読み出し要求信号の計測より求められる読み出し数を読み出し制御回路５に出力する。読み出し制御回路５は計数器４からの読み出し数より時間補正用蓄積回路３内に蓄積されるデータ量を認識可能である。又、読み出し制御回路５は、伝送ビットレートに基づき符号用蓄積回路２の読み出しと時間補正用蓄積回路３の書き込み／読み出しを制御し、この制御内容は下記する作用で詳述する。この読み出し制御回路５と時間調整用蓄積回路３で時間調整手段Ｃを構成している。さらに、読み出し制御回路２は伝送ビットレート情報を復号化装置Ｂに出力する。
【００１５】
復号化装置Ｂでは入力としてデータと伝送ビットレート情報を符号化装置Ａより受け取る。伝送ビットレート情報は書き込み制御回路６に供給され、書き込み制御回路６では伝送ビットレートに従って書き込み要求信号を復号側蓄積回路７に出力する。復号側蓄積回路７は書き込み要求信号に従ってデータを蓄積する。復号回路８は符号化時のビットレートに基づく読み出し要求信号を復号側蓄積回路７に出力し、復号側蓄積回路７は蓄積されているデータの内、古いものから順に復号回路８に出力する。復号回路８ではデータを復号する。
【００１６】
以下、上記構成の作用を説明する。先ず、初期動作時について述べる。図２に示すように、電源投入などの初期動作指令があると、符号側蓄積回路２及び時間補正用蓄積回路３の内部に蓄えられたデータを全て消去し、計数器４の書き込み／読み出しの数をゼロとする。そして、読み出し制御回路５が読み出し／書き込み要求信号だけを出力し、時間補正用蓄積回路３に下記の式で求められる初期データ量Ｂ２（Ｂ２≧０）を蓄える。初期データの蓄積は、計数器４の読み出し数を利用して行う。
【００１７】
Ｂ２＝（Ｔｄ×ＢＲ）−Ｂ１
Ｔｄ：符号側蓄積回路２の入力から復号側蓄積回路７の出力までの間の遅延時間の内、３つの蓄積回路２，３，７でのみ発生する合計遅延時間
ＢＲ：初期動作時のビットレート
Ｂ１：符号側蓄積回路２の容量
例えば、伝送ビットレートＢＲがＡ値で、符号側蓄積回路２の容量Ｂ１が４Ｔ・Ａであり、合計遅延時間Ｔｄを５Ｔとすると、初期データ量Ｂ２はＴ・Ａとなる。又、伝送ビットレートＢＲがＢ値（Ｂ＝２Ａ）で、符号側蓄積回路２の容量Ｂ１が２Ｔ・Ｂであり、合計遅延時間Ｔｄを５Ｔとすると、初期データ量Ｂ２は３Ｔ・Ｂ（＝６Ｔ・Ａ）となる。
【００１８】
次に、通常動作（固定レート動作）時について述べる。符号発生回路１は差分データに基づき符号側蓄積回路２がオーバーフロー及びアンダーフローしないようデータ発生量を制御し、発生したデータは符号側蓄積回路２に一時蓄えられる。そして、この符号側蓄積回路２のデータは伝送ビットレートに基づく読み出し／書き込み要求信号で読み出され、且つ、時間補正用蓄積回路３に書き込まれる。時間補正用蓄積回路３のデータは伝送ビットレートに基づく読み出し要求信号で読み出されて復号化装置Ｂに伝送される。復号化装置Ｂに伝送されたデータは復号側蓄積回路７に一時蓄えられ、符号化時のビットレートに基づく読み出し要求信号によって読み出される。この読み出されたデータは復号回路８で復号される。
【００１９】
ここで、符号発生回路１から発生されるデータ量は、局所的な時間では一定量ではないが、説明の簡略上伝送ビットレートに従った発生量とし、常に符号側蓄積回路２の容量の半分を蓄積している状態で動作しているものとする。図３に示すように、伝送ビットレートがＡ値の場合には符号側蓄積回路２及び復号側蓄積回路７で合わせて４Ｔの遅延時間があり、時間補正用蓄積回路３では１Ｔの遅延時間となり、合計遅延時間が５Ｔとなる。図４に示すように、伝送ビットレートがＢ値の場合には符号側蓄積回路２及び復号側蓄積回路７は合わせて２Ｔの遅延時間であるが、時間補正用蓄積回路３では３Ｔの遅延時間となるため、合計遅延時間が５Ｔとなる。即ち、符号側蓄積回路２への入力から復号側蓄積回路７からの出力までの時間が伝送ビットレートに拘わらず常に一定となる。
【００２０】
次に、伝送ビットレート変更動作時について述べる。通常動作中にあって、伝送ビットレートの変更指令、例えばＡ→Ｂ（図６、図７では、Ｂ値は２Ａ値より若干小さい値で示されている。）があると、図５〜図７に示すように、変更指令後直ちに符号側蓄積回路２の読み出しと時間補正用蓄積回路３の書き込みを行う読み出し／書き込み要求信号を、新しい伝送ビットレートＢに従ったものに変更する。この段階では時間補正用蓄積回路３への読み出し要求信号は、変更前の伝送ビットレートＡに従ったものを保持している。そして、変更指令から合計遅延時間Ｔｄ（初期データ量の算出時に用いたもの）経過後に時間補正用蓄積回路３への読み出し要求信号を、新しい伝送ビットレートＢに従ったものに変更する。
【００２１】
即ち、変更指令から合計遅延時間Ｔｄまでの間の時間補正用蓄積回路３の入出力データ量（説明の簡略化のため２Ａ＝Ｂとする。）に着目すると、データ出力量は５Ｔ・Ａであり、データ入力量は５Ｔ・Ｂ（＝５Ｔ・２Ａ＝１０Ｔ・Ａ）であるため、５Ｔ・Ａだけ蓄積データ量が増える。これは伝送ビットレートがＡの場合とＢの場合において、合計遅延時間Ｔｄの間に伝送されるデータ量の差であるため、伝送ビットレートの変更時におけるデータ量の不一致が時間補正用蓄積回路３にて吸収される。従って、伝送ビットレートの変更後においても符号側蓄積回路２と復号側蓄積回路７が同期して動作し、復号側蓄積回路７がオーバーフローしたり、又、アンダーフローしたりすることがない。又、伝送ビットレートの変更後（正確には変更指令から合計遅延時間経過後）には時間補正用蓄積回路３に伝送ビットレートＢの初期データ量である６Ｔ・Ａが蓄積されるため、変更前と同様の合計遅延時間が保持される。従って、伝送ビットレートの変更があっても符号側蓄積回路２への入力から復号側蓄積回路７からの出力までの時間が一定に保持される。
【００２２】
図８には本発明の第２の実施の形態が示されている。図８において、前記第１の実施の形態と同一構成部分には図１と同様の符号を付してその説明を省略し、異なる構成部分のみを説明する。即ち、符号化装置Ａ’には従来例と同様に単１の符号側蓄積回路９のみを設けるが、この符号側蓄積回路９の容量を図１における符号側蓄積回路２と時間補正用蓄積回路３とを合わせたものとする。そして、読み出し制御回路１０は実際には符号側蓄積回路９への読み出し要求信号によってデータの読み出しを制御するのみであるが、第１の実施の形態における符号側蓄積回路２と時間補正用蓄積回路３への読み出し／書き込み要求信号と同じ信号を計数器４に出力する。
【００２３】
上記構成において、第１の実施の形態と同様に動作させれば、同様の作用・効果がある。初期データは符号側蓄積回路９に蓄積するが、この蓄積回路９の最大容量を第１の実施の形態の（Ｂ１＋Ｂ２）に相当する容量が超えないように構成する必要がある。
【００２４】
尚、第１の実施の形態においては、時間補正用蓄積回路３が符号化装置Ａ内に設けられているが、復号化装置Ｂ内に設けても良く、又、符号化装置Ａと復号化装置Ｂとの間のデータ伝送路に設けても良い。
【００２５】
【発明の効果】
以上述べたように本発明によれば、符号発生回路が発生するデータを記憶し、この記憶したデータを古いものから順に読み出す符号側蓄積回路を有する符号化装置と、この符号化装置が伝送ビットレートに従って出力するデータを記憶し、この記憶したデータを古いものから順に符号化時のビットレートで読み出す復号側蓄積回路を有する復号化装置と、前記符号側蓄積開路と前記復号側蓄積回路との間のデータ伝送路に介在された時間調整用蓄積回路を有し、前記符号側蓄積回路への入力から前記復号側蓄積回路の出力までの遅延時間を伝送ビットレートに拘わらず一定とするよう前記時間調整用蓄積回路で調整する時間調整手段とを備えたので、符号側蓄積回路の入力から復号側蓄積回路の出力までの遅延時間が伝送ビットレートに拘わらず一定となり、動作中に伝送ビットレートが変更された場合でも復号側蓄積回路がオーバーフローやアンダーフローすることがないという効果がある。
【図面の簡単な説明】
【図１】符号伝送装置の回路ブロック図（第１の実施の形態）。
【図２】初期動作のフローチャート（第１の実施の形態）
【図３】（ａ）〜（ｉ）は、伝送ビットレートＡの場合のデータの時間的流れをそれぞれ示す図（第１の実施の形態）。
【図４】（ａ）〜（ｉ）は、伝送ビットレートＢの場合のデータの時間的流れをそれぞれ示す図（第１の実施の形態）。
【図５】伝送ビットレートの変更動作のフローチャート（第１の実施の形態）。
【図６】（ａ）〜（ｆ）は、伝送ビットレート変更時のデータの時間的流れをそれぞれ示す図（第１の実施の形態）。
【図７】（ａ）〜（ｅ）は、図６の続きであり、伝送ビットレート変更時のデータの時間的流れをそれぞれ示す図（第１の実施の形態）。
【図８】符号伝送装置の回路ブロック図（第２の実施の形態）。
【図９】符号伝送装置の回路ブロック図（従来例）。
【図１０】（ａ）〜（ｇ）は、２つの蓄積回路における同期動作を示すためのデータの時間的流れをそれぞれ示す図（従来例）。
【図１１】（ａ）〜（ｆ）は、伝送ビットレート変更時のデータの時間的流れをそれぞれ示す図（従来例）。
【図１２】（ａ）〜（ｇ）は、伝送ビットレートＡの場合のデータの時間的流れをそれぞれ示す図（従来例）。
【図１３】（ａ）〜（ｅ）は、伝送ビットレートＢの場合のデータの時間的流れをそれぞれ示す図（従来例）。
【符号の説明】
Ａ，Ａ’…符号化装置
Ｂ’…復号化装置
１…符号発生回路
２，９…符号側蓄積回路
３…時間調整用蓄積回路
７…復号側蓄積回路
Ｃ…時間調整手段
【図１】
0003579977.tif 000002
【図２】
0003579977.tif 000003
【図３】
0003579977.tif 000004
【図４】
0003579977.tif 000005
【図５】
0003579977.tif 000006
【図６】
0003579977.tif 000007
【図７】
0003579977.tif 000008
【図８】
0003579977.tif 000009
【図９】
0003579977.tif 000010
【図１０】
0003579977.tif 000011
【図１１】
0003579977.tif 000012
【図１２】
0003579977.tif 000013
【図１３】
0003579977.tif 000014